(57)【要約】【課題】大きな構造変更を行うことなく、ＳＴＰケーブルとＵＴＰケーブルとを置き換えることができるコネクタ構造を提供する。【解決手段】ＵＴＰ接続端子２１Ａは、ＵＴＰ誘電体２２Ａの幅方向に近接した対をなす収容部２６に、弾性接触片３２が幅方向に互いに近接する内側に位置し且つ受部３１が幅方向に互いに離間する外側に位置するように収容される。ＳＴＰ接続端子２１Ｂは、ＵＴＰ誘電体２２Ａよりも幅方向に離間した、ＳＴＰ誘電体２２Ｂの対をなす収容部２６に、弾性接触片３２が幅方向に互いに離間する外側に位置し且つ受部３１が幅方向に互いに接近する内側に位置するように収容される。【選択図】図２６
2018063797.tif 000002
【特許請求の範囲】
【請求項１】
雄端子が挿入接続される箱部を有する端子と、
前記端子が収容される収容部を有する誘電体とを備え、
前記箱部内には受部と前記受部に対向する弾性接触片とが配置され、前記弾性接触片が前記受部よりも大きい突出量をもって前記箱部内に突出し、前記雄端子が前記受部と前記弾性接触片との間に挟持されるものであり、
前記収容部が前記雄端子の挿入方向と直交する幅方向に対をなして配置されており、
前記端子が、ＵＴＰケーブルの各電線に接続されるＵＴＰ接続端子とＳＴＰケーブルの各電線に接続されるＳＴＰ接続端子とからなり、前記誘電体が、前記ＵＴＰ接続端子が収容されるＵＴＰ誘電体と前記ＳＴＰ接続端子が収容されるＳＴＰ誘電体とからなり、
前記対をなす収容部の幅方向の離間距離は、前記ＵＴＰ誘電体のほうが前記ＳＴＰ誘電体よりも短くなっており、
前記ＵＴＰ接続端子は、前記ＵＴＰ誘電体の前記対をなす収容部に、前記弾性接触片が前記幅方向に互いに近接する内側に位置し且つ前記受部が前記幅方向に互いに離間する外側に位置するように収容され、
前記ＳＴＰ接続端子は、前記ＳＴＰ誘電体の前記対をなす収容部に、前記弾性接触片が前記幅方向に互いに離間する外側に位置し且つ前記受部が前記幅方向に互いに接近する内側に位置するように収容されることを特徴とするコネクタ構造。
【請求項２】
前記ＵＴＰ接続端子及び前記ＳＴＰ接続端子のそれぞれの箱部が同一の形状とされている請求項１記載のコネクタ構造。 
【発明の詳細な説明】
【技術分野】
【０００１】
本発明は、コネクタ構造に関する。
【背景技術】
【０００２】
従来より、複数本の電線を撚り合わせたツイストペアケーブルは、単なる平行線よりもノイズの影響を受けにくく、ノイズ輻射も少ないことから、車載ネットワーク等に好適に用いられている。ツイストペアケーブルには、ＳＴＰ（シールドツイストペア）ケーブルと、ＵＴＰ（アンシールドツイストペア）ケーブルとが知られている。このうち、ＳＴＰケーブルは電線の周囲がシールド導体で包囲されており、ノイズに対してより強い耐性を有している。
【０００３】
例えば、特許文献１には、ＳＴＰケーブルの端部に接続される内導体端子と、内導体端子を収容するインナーハウジング（誘電体）と、ＳＴＰケーブルのシールド導体に接続され、インナーハウジングを包囲するシールドシェルと、シールドシェルを収容するアウターハウジングとを備えたコネクタが開示されている。  
【０００４】
一方、特許文献２には、ＵＴＰケーブルの端部に接続される接続端子と、接続端子を収容する端子収容部を有するコネクタ本体（誘電体）とを備えたコネクタが開示されている。
【先行技術文献】
【特許文献】
【０００５】
【特許文献１】特許５３３３６３２号公報
【特許文献２】特許５０８７４８７号公報
【発明の概要】
【発明が解決しようとする課題】
【０００６】
特許文献１、２のコネクタは、ＵＴＰケーブルとＳＴＰケーブルの各電線がいずれも端子に接続され、各端子が誘電体に収容されるという共通の構成を含んでいる。この場合に、それぞれのコネクタにおける共通の構造部分を利用して、ＳＴＰケーブルからＵＴＰケーブルへと置き換えられ、あるいは、ＵＴＰケーブルからＳＴＰケーブルへと置き換えられるようになれば、金型設計が容易になり、コストを低減することができる。しかし、ＵＴＰケーブルとＳＴＰケーブルとの間には原則として互換性がなく、それぞれのインピーダンスが異なるという事情がある。
【０００７】
本発明は上記のような事情に基づいて完成されたものであって、大きな構造変更を行うことなく、ＳＴＰケーブルとＵＴＰケーブルとを置き換えることができるコネクタ構造を提供することを目的とする。
【課題を解決するための手段】
【０００８】
本発明のコネクタ構造は、雄端子が挿入接続される箱部を有する端子と、前記端子が収容される収容部を有する誘電体とを備え、前記箱部内には受部と前記受部に対向する弾性接触片とが配置され、前記弾性接触片が前記受部よりも大きい突出量をもって前記箱部内に突出し、前記雄端子が前記受部と前記弾性接触片との間に挟持されるものであり、前記収容部が前記雄端子の挿入方向と直交する幅方向に対をなして配置されており、前記端子が、ＵＴＰケーブルの各電線に接続されるＵＴＰ接続端子とＳＴＰケーブルの各電線に接続されるＳＴＰ接続端子とからなり、前記誘電体が、前記ＵＴＰ接続端子が収容されるＵＴＰ誘電体と前記ＳＴＰ接続端子が収容されるＳＴＰ誘電体とからなり、前記対をなす収容部の幅方向の離間距離は、前記ＵＴＰ誘電体のほうが前記ＳＴＰ誘電体よりも短くなっており、前記ＵＴＰ接続端子は、前記ＵＴＰ誘電体の前記対をなす収容部に、前記弾性接触片が前記幅方向に互いに近接する内側に位置し且つ前記受部が前記幅方向に互いに離間する外側に位置するように収容され、前記ＳＴＰ接続端子は、前記ＳＴＰ誘電体の前記対をなす収容部に、前記弾性接触片が前記幅方向に互いに離間する外側に位置し且つ前記受部が前記幅方向に互いに接近する内側に位置するように収容されるところに特徴を有する。
【発明の効果】
【０００９】
ＵＴＰ誘電体の対をなす収容部はＳＴＰ誘電体のものよりも幅方向で互いに近接しているため、ＵＴＰ誘電体の対をなす収容部にそれぞれＵＴＰケーブルの各電線に接続されたＵＴＰ接続端子が収容されると、インピーダンスを小さくすることができる。一方、ＳＴＰ誘電体の対をなす収容部はＵＴＰ誘電体のものよりも幅方向で互いに離間しているため、ＳＴＰ誘電体の対をなす収容部にそれぞれＳＴＰケーブルの各電線に接続されたＳＴＰ接続端子が収容されると、インピーダンスを大きくすることができる。これにより、ＵＴＰケーブル側とＳＴＰケーブル側との間でインピーダンスを適切に調整することができる。このインピーダンスの調整に際し、ＵＴＰ接続端子及びＳＴＰ接続端子の基本的構造を変更する必要はなく、しかも、弾性接触片と受部の位置関係をＵＴＰ接続端子の場合とＳＴＰ接続端子の場合とで逆にすることで、ＵＴＰ接続端子の接続相手となる雄端子とＳＴＰ接続端子の接続相手となる雄端子のそれぞれの幅方向の離間距離（ピッチ幅）を、同一のピッチ幅に揃えることができる。したがって、全体として大きな構造変更を行う必要がなく、ＵＴＰケーブルとＳＴＰケーブルとを容易に置き換えることができる。
【図面の簡単な説明】
【００１０】
【図１】本発明の実施例１のＵＴＰコネクタの分解斜視図である。
【図２】ＵＴＰ接続端子と下側誘電体とを示す分解斜視図である。
【図３】ＵＴＰ接続端子が下側誘電体の収容部に収容された状態を示す斜視図である。
【図４】ＵＴＰ接続端子が収容された下側誘電体と上側誘電体とを示す分解斜視図である。
【図５】下側誘電体と上側誘電体とが合体状態に保持されたＵＴＰ誘電体の斜視図である。
【図６】ＵＴＰ誘電体とＵＴＰハウジングとを示す分解斜視図である。
【図７】ＵＴＰコネクタの斜視図である。
【図８】ＵＴＰコネクタの側面視方向の断面図である。
【図９】ＵＴＰコネクタの平面視方向の断面図である。
【図１０】嵌合状態にあるＵＴＰコネクタと相手側ＵＴＰコネクタとを示す平面視方向の断面図である。
【図１１】接続状態にあるＵＴＰ接続端子と雄端子とを示す正面視方向の断面図である。
【図１２】相手側ＵＴＰコネクタの正面図である。
【図１３】ＳＴＰコネクタの分解斜視図である。
【図１４】ＳＴＰ接続端子と下側誘電体とを示す分解斜視図である。
【図１５】ＳＴＰ接続端子が収容された下側誘電体と上側誘電体とを示す分解斜視図である。
【図１６】下側誘電体と上側誘電体とが合体状態に保持されたＳＴＰ誘電体の斜視図である。
【図１７】ＳＴＰ誘電体と下側外導体とを示す分解斜視図である。
【図１８】ＳＴＰ誘電体が下側外導体に支持された状態を示す斜視図である。
【図１９】ＳＴＰ誘電体が支持された下側外導体と上側外導体とを示す分解斜視図である。
【図２０】下側外導体と上側外導体とが合体状態に保持され、且つ、ＳＴＰケーブルのシールド導体に接続された外導体の斜視図である。
【図２１】ＳＴＰ誘電体が内包された外導体とＳＴＰハウジングとを示す分解斜視図である。
【図２２】ＳＴＰコネクタの斜視図である。
【図２３】ＳＴＰコネクタの側面視方向の断面図である。
【図２４】ＳＴＰコネクタの平面視方向の断面図である。
【図２５】嵌合状態にあるＳＴＰコネクタと相手側ＳＴＰコネクタとを示す平面視方向の断面図である。
【図２６】接続状態にあるＳＴＰ接続端子と雄端子とを示す正面視方向の断面図である。
【図２７】相手側ＳＴＰコネクタの正面図である。
【発明を実施するための形態】
【００１１】
本発明の好ましい形態を以下に示す。
前記ＵＴＰ接続端子及び前記ＳＴＰ接続端子のそれぞれの箱部が同一の形状とされている。これによれば、各端子の箱部を同じ金型で製造することができ、製造コストを低減させることができる。
【００１２】
＜実施例１＞
本発明の実施例１を図面に基づいて説明する。本実施例１のコネクタ構造は、車載通信ネットワークシステムに用いられるものであって、ＵＴＰケーブル１０Ａの端部に設けられるＵＴＰコネクタ２０Ａと、ＳＴＰケーブル１０Ｂの端部に設けられるＳＴＰコネクタ２０Ｂとからなり、両コネクタ２０Ａ、２０Ｂのいずれかを選択使用可能とされている。ＵＴＰコネクタ２０ＡとＳＴＰコネクタ２０Ｂとは互いに共通もしくは近似する構造部分を有しており、インピーダンスを調整しつつＵＴＰケーブル１０ＡとＳＴＰケーブル１０Ｂとを置き換えることが可能となっている。
【００１３】
ＵＴＰコネクタ２０Ａは、相手側ＵＴＰコネクタ９０Ａに嵌合され、図１に示すように、ＵＴＰ接続端子２１Ａ、ＵＴＰ誘電体２２Ａ及びＵＴＰハウジング２３Ａを備える。ＳＴＰコネクタ２０Ｂは、相手側ＳＴＰコネクタ９０Ｂに嵌合され、図１３に示すように、ＳＴＰ接続端子２１Ｂ、ＳＴＰ誘電体２２Ｂ、外導体２４Ｂ及びＳＴＰハウジング２３Ｂを備える。
【００１４】
［ＵＴＰケーブル］
図２に示すように、ＵＴＰケーブル１０Ａは、撚られた一対の電線１１と、各電線１１を包囲するシース１２とからなる。電線１１は、導体部分と導体部分を包囲する被覆部分とで構成されている。各電線１１の端部はシース１２から露出し、それぞれＵＴＰ接続端子２１Ａに接続される。
【００１５】
［ＵＴＰ接続端子］
ＵＴＰケーブル１０Ａの各電線１１に接続されるＵＴＰ接続端子２１Ａは、互いに同一の形状で構成されている。このＵＴＰ接続端子２１Ａは、ＵＴＰコネクタ２０Ａと相手側ＵＴＰコネクタ９０Ａとの嵌合時に、相手側ＵＴＰコネクタ９０Ａに設けられた雄端子９１に電気的に接続される。ＵＴＰ接続端子２１Ａは、導電性の金属板材を曲げ加工等して一体に形成され、全体として前後方向（図９の左右方向）に細長い形状になっている。
【００１６】
図９に示すように、ＵＴＰ接続端子２１Ａは、前後方向に沿った帯板状の基板部２５を有している。基板部２５の前端部には略角筒状の箱部２７が設けられ、基板部２５の後端部にはオープンバレル状のバレル部２８が設けられている。バレル部２８は、電線１１の導体部分及び被覆部分にそれぞれ電気的及び機械的に接続される。なお、ＵＴＰケーブル１０Ａのシース１２の端部には、ＵＴＰ接続端子２１Ａとは別体の加締めリング２９が圧着して接続されている。
【００１７】
箱部２７の内部には、受部３１と弾性接触片３２とが幅方向に互いに向き合うようにして突出している。
ＵＴＰ接続端子２１Ａは、基板部２５側に、断面台形状の受部３１が固定して設けられ、基板部２５と反対側の天板部３３側に、帯板状の弾性接触片３２が突出して設けられている。弾性接触片３２は、天板部３３の後端側から前方へ片持ち状に延出する形態とされ、天板部３３の後端側を支点として撓み変形可能とされている。
【００１８】
箱部２７内への突出量（図９の上下方向の寸法）は、弾性接触片３２のほうが受部３１よりも大きくされている。このため、弾性接触片３２の頂部は受部３１の端面よりも箱部２７の中心寄りに位置している。ＵＴＰ接続端子２１Ａが雄端子９１に接続されると、箱部２７内に雄端子９１の後述するタブ部９２が挿入され、挿入されたタブ部９２が受部３１と弾性接触片３２との間に弾性的に挟まれて導通接続される。図１１に示すように、箱部２７内には、受部３１と弾性接触片３２との間に雄端子９１の挿入領域５３を有している。また、ＵＴＰ接続端子２１Ａは、天板部３３の一端側から天板部３３の平面方向と直交する方向へ突出する突部３４を有している。
【００１９】
［ＵＴＰ誘電体］
ＵＴＰ誘電体２２Ａは合成樹脂製であって、上下に分割可能な上側誘電体３５と下側誘電体３６とからなる。図４に示すように、上側誘電体３５は、平面視略矩形の板状をなし、上面の幅方向中央部に、ＵＴＰハウジング２３Ａに係止可能なロック突起３７を有している。上側誘電体３５の下面には、各ＵＴＰ接続端子２１Ａの上部を並列状態で位置決めし、且つ、加締めリング２９の上部を位置決めする凹所３８（図８を参照）が設けられている。上側誘電体３５の幅方向両端部には、前後一対ずつの取付片３９が下向きに突出して設けられている。
【００２０】
図２に示すように、下側誘電体３６は、平面視略矩形の板状をなし、幅方向両端部に、前後一対ずつの角凹状の取付受部４１を有し、取付受部４１の奥面に、取付突起４２を有している。各取付受部４１には取付片３９が嵌合され、取付片３９の先端部分が取付突起４２を引っ掛け係止することにより、下側誘電体３６と上側誘電体３５とがＵＴＰ接続端子２１Ａを挟んで合体状態に保持される。
【００２１】
下側誘電体３６の上面には、各ＵＴＰ接続端子２１Ａの下部を並列状態で収容する収容部２６を有している。収容部２６は、ＵＴＰ接続端子２１Ａの外形形状と対応する断面形状を有し、隔壁４３を挟んだ幅方向両側に対をなして設けられている。また、図５に示すように、下側誘電体３６と上側誘電体３５とが合体状態にあるときに、ＵＴＰ誘電体２２Ａの前面には、収容部２６に連通してタブ部９２を挿入可能なタブ挿入孔６９が開口して設けられる。
【００２２】
各収容部２６のうち、一方（図２の上側）の収容部２６は、隔壁４３の側縁から上方に突出する板片状の突片部４５を有し、他方（図２の下側）の収容部２６は、隔壁４３を断面矩形に凹ませてなる凹部４４を有している。また、隔壁４３は、突片部４５及び凹部４４と隣接する位置に段付き状の段部５２を有している。
【００２３】
図９に示すように、ＵＴＰ接続端子２１Ａは、基板部２５を収容部２６の幅方向外側面（隔壁４３と対向する外側壁の内面）に沿わせて配置され、箱部２７の天板部３３側の後端を段部５２に沿わせて腹合わせ状態に配置される。突片部４５には、一方の収容部２６に収容されたＵＴＰ接続端子２１Ａの突部３４が載置して支持され、凹部４４には、他方の収容部２６に収容されたＵＴＰ接続端子２１Ａの突部３４が挿入される。また、下側誘電体３６の下面には、収容部２６の後方に連続する形態で加締めリング２９の下部を位置決め保持する凹陥部４６が設けられている。
【００２４】
［ＵＴＰハウジング］
ＵＴＰハウジング２３Ａは合成樹脂製であって、図６に示すように、略角筒状のハウジング本体４７を有している。ハウジング本体４７の上面の幅方向中央部には、ロックアーム４８が突出して設けられている。ロックアーム４８は、ハウジング本体４７の上面前端部から後方へ片持ち状に延出する形態とされ、相手側ＵＴＰコネクタ９０Ａのロック受部９３を弾性的に係止して、ＵＴＰコネクタ２０Ａと相手側ＵＴＰコネクタ９０Ａとを嵌合状態に保持する。ハウジング本体４７の内部には、挿入部４９が前後方向に開放して設けられている。図８に示すように、挿入部４９の内部には、ＵＴＰ誘電体２２Ａが嵌合可能とされている。挿入部４９の内壁の上面には、前方へ片持ち状に突出するランス５１が設けられている。ＵＴＰ誘電体２２Ａは、挿入部４９に後方から挿入され、ロック突起３７がランス５１を撓み変形させた後、ランス５１が復帰してロック突起３７を弾性的に係止することにより、ＵＴＰハウジング２３Ａに保持される。
【００２５】
［相手側ＵＴＰコネクタ］
図１２に示すように、相手側ＵＴＰコネクタ９０Ａは、合成樹脂製のフード部９４を有している。フード部９４は、内部に、ＵＴＰハウジング２３Ａが嵌合可能とされ、図示しないプリント回路基板に支持される。フード部９４の上壁の内面には、ロックアーム４８に係止されるロック受部９３が突設されている。
【００２６】
図２５に示すように、フード部９４の両側壁の外面には、金属製の板材からなるペグ９５が装着される。ペグ９５が回路基板の表面に半田付けされることで、相手側ＵＴＰコネクタ９０Ａがペグ９５を介して回路基板に固定される。
【００２７】
フード部９４には、幅方向に一対の雄端子９１が装着されている。各雄端子９１は、全体として角線状（角ピン状）をなし、長さ方向途中で略直角に屈曲された形状になっている。各雄端子９１は、フード部９４内に突出するタブ部９２を有している。各雄端子９１のタブ部９２は、各収容部２６に収容されたＵＴＰ接続端子２１Ａの挿入領域５３の幅方向離間距離（以下、ピッチ幅という）と対応するピッチ幅で並列に配置されている。また、雄端子９１は、フード部９４の外側に突出する部分を有し、この部分が図示しない回路基板の表面に実装されて半田付けして接続される。
【００２８】
［ＳＴＰケーブル］
図１４に示すように、ＳＴＰケーブル１０Ｂは、撚られた一対の電線１１と、各電線１１を包囲してシールドする編組線等のシールド導体１３と、シールド導体１３を包囲するシース１２とからなる。各電線１１の端部及びシールド導体１３の端部は、シース１２から露出しており、このうち、シールド導体１３の端部は、折り返されてシース１２の外周側に被着される。そして、各電線１１の端部は、それぞれＳＴＰ接続端子２１Ｂに接続されるようになっている。
【００２９】
［ＳＴＰ接続端子］
ＳＴＰケーブル１０Ｂの各電線１１に接続されるＳＴＰ接続端子２１Ｂは、互いに同一の形状で構成される。ＳＴＰ接続端子２１Ｂは、ＳＴＰコネクタ２０Ｂと相手側ＳＴＰコネクタ９０Ｂとの嵌合時に、相手側ＳＴＰコネクタ９０Ｂに設けられた雄端子９１に接続される。また、ＳＴＰ接続端子２１Ｂは、ＵＴＰ接続端子２１Ａと実質的に同一の形状であって、箱部２７及びバレル部２８を有し、箱部２７に、受部３１、弾性接触片３２及び突部３４を有している。
【００３０】
［ＳＴＰ誘電体］
ＳＴＰ誘電体２２Ｂは合成樹脂製であって、上下に分割可能な上側誘電体３５と下側誘電体３６とからなる。図１５に示すように、上側誘電体３５は、平面視略矩形の板状をなし、上面と両側面とに、外導体２４Ｂに対する位置決め突部５４を有している。上側誘電体３５の幅方向両端部には、ＵＴＰ誘電体２２Ａの上側誘電体３５と同様に、取付片３９が設けられている。下側誘電体３６にも、ＵＴＰ誘電体２２Ａの下側誘電体３６と同様に、取付受部４１及び取付突起４２が設けられており、取付片３９と取付突起４２との係止によって、下側誘電体３６と上側誘電体３５とがＳＴＰ接続端子２１Ｂを挟んで合体状態に保持される。
【００３１】
ところで、ＳＴＰコネクタ２０Ｂには加締めリング２９が設けられず、上側誘電体３５及び下側誘電体３６のそれぞれの後部に、加締めリング２９を受ける部分（凹所３８及び凹陥部４６に相当する部分）を有していない。このため、ＳＴＰ誘電体２２Ｂの上側誘電体３５及び下側誘電体３６の前後寸法はＵＴＰ誘電体２２Ａのものよりも短くなっている。
【００３２】
図１４に示すように、下側誘電体３６の上面には、各ＳＴＰ接続端子２１Ｂの下部を並列状態で位置決め保持する収容部２６が設けられている。収容部２６は、ＳＴＰ接続端子２１Ｂの外形形状と対応する断面形状を有し、各ＳＴＰ接続端子２１Ｂと対応するように、隔壁４３を挟んだ幅方向両側に対をなして設けられている。また、図１６に示すように、下側誘電体３６と上側誘電体３５とが合体状態にあるときに、ＳＴＰ誘電体２２Ｂの前面には、収容部２６に連通してタブ部９２を挿入可能なタブ挿入孔６９が開口して設けられる。
【００３３】
ＳＴＰ誘電体２２Ｂの隔壁４３の厚み（幅方向の寸法）は、ＵＴＰ誘電体２２Ａの隔壁４３の厚みよりも少し大きくされている。このため、ＳＴＰ誘電体２２Ｂの各収容部２６のピッチ幅は、ＵＴＰ誘電体２２Ａの各収容部２６のピッチ幅よりも大きくなっている。
【００３４】
各収容部２６のうち、一方（図１４の上側）の収容部２６は、隔壁４３と対向する外側壁の内面を断面矩形に凹ませてなる凹部４４を有し、他方（図１４の下側）の収容部２６は、外側壁の側縁から上方に突出する板片状の突片部４５を有している。また、隔壁４３は、凹部４４及び突片部４５と隣接する位置に段付き状の段部５２を有している。
【００３５】
図２４に示すように、ＳＴＰ接続端子２１Ｂは、基板部２５を隔壁４３の内面に沿わせて配置され、箱部２７の天板部３３側の後端を段部５２に沿わせて背合わせ状態に配置される。凹部４４には、一方の収容部２６に収容されたＳＴＰ接続端子２１Ｂの突部３４が挿入され、突片部４５には、他方の収容部２６に収容されたＳＴＰ接続端子２１Ｂの突部３４が載置して支持される。
【００３６】
［外導体］
外導体２４Ｂは、導電金属製であって、上下に分割可能な上側外導体５６と下側外導体５７とからなる。図１９に示すように、上側外導体５６は、平面視略矩形の上側シェル部５８と、上側シェル部５８の後方に連なるオープンバレル状の上側バレル部５９とを有している。上側シェル部５８は、上側誘電体３５を上方から被覆するように配置される。上側シェル部５８の平板部分は、上面の幅方向中央部にロック突起３７を有し、ロック突起３７の前方に上側位置決め孔６１を有している。また、上側シェル部５８は、平板部分の幅方向両端から垂下する側板部分を有し、側板部分の内面に、図２４に示すように、前後一対ずつの保持突起６２を有している。上側バレル部５９は、幅方向両側縁から前後方向に位置ずれして下向きに突出する突片部分を有している。
【００３７】
図１７に示すように、下側外導体５７は、平面視略矩形の下側シェル部６３と、下側シェル部６３の後方に連なるオープンバレル状の下側バレル部６４とを有している。下側シェル部６３は、下側誘電体３６を下方から被覆するように配置される。そして、下側シェル部６３は、平板部分の幅方向両端から起立する側板部分を有し、側板部分に、前後一対ずつの保持孔６５を有している。また、下側シェル部６３の側板部分の前後中央部には、下側位置決め孔６６が上端に開口して設けられている。下側バレル部６４は、幅方向両端縁から前後方向で位置ずれして上向きに突出する突片部分を有している。
【００３８】
上側外導体５６と下側外導体５７とがＳＴＰ誘電体２２Ｂを内包して合体されると、上側シェル部５８の側板部分が下側シェル部６３の側板部分を外側から被覆し、各保持突起６２が保持孔６５に挿入係止される（図２４を参照）。
【００３９】
［ＳＴＰハウジング］
ＳＴＰハウジング２３Ｂは合成樹脂製であって、図２１に示すように、略角筒状のハウジング本体４７を有している。ＳＴＰハウジング２３Ｂは、ＵＴＰハウジング２３Ａと実質的に同一の形状とされ、ロックアーム４８、挿入部４９及びランス５１を有している。もっとも、図２３に示すように、ランス５１の係止相手は、上側外導体５６のロック突起３７である。
【００４０】
［相手側ＳＴＰコネクタ］
図２７に示すように、相手側ＳＴＰコネクタ９０Ｂは、合成樹脂製のフード部９４を有している。相手側ＳＴＰコネクタ９０Ｂは、相手側ＵＴＰコネクタ９０Ａと同様の形態であって、フード部９４、ロック受部９３、ペグ９５及び一対の雄端子９１を有している。相手側ＳＴＰコネクタ９０Ｂの各雄端子９１のピッチ幅も、相手側ＵＴＰコネクタ９０Ａの各雄端子９１のピッチ幅と同一である。
【００４１】
［ＵＴＰコネクタの組み立て］
ＵＴＰコネクタ２０Ａの組み立てに際し、まずＵＴＰ接続端子２１Ａのバレル部２８がＵＴＰケーブル１０Ａの各電線１１の端部に圧着により接続される。続いて、各ＵＴＰ接続端子２１Ａが下側誘電体３６の収容部２６に上方から位置決めして挿入されるとともに、ＵＴＰケーブル１０Ａに嵌着された加締めリング２９が下側誘電体３６の凹陥部４６に位置決めして挿入される（図２及び図３を参照）。このとき、一方の収容部２６に収容されるＵＴＰ接続端子２１Ａは、突部３４を上側にして挿入され、他方の収容部２６に収容されるＵＴＰ接続端子２１Ａは、突部３４を下側にして挿入される。次いで、上側誘電体３５が下側誘電体３６に上方から被せられ、取付片３９が取付突起４２を弾性的に係止することにより、上側誘電体３５及び下側誘電体３６が互いに合体状態に保持される（図４及び図５を参照）。
【００４２】
続いて、ＵＴＰ誘電体２２ＡがＵＴＰハウジング２３Ａの挿入部４９に後方から挿入される（図６及び図７を参照）。ＵＴＰ誘電体２２Ａが挿入部４９に正規挿入されると、ランス５１がＵＴＰ誘電体２２Ａのロック突起３７を弾性的に係止し、ＵＴＰ誘電体２２ＡがＵＴＰハウジング２３Ａに抜け止め状態に保持される（図８を参照）。
【００４３】
［ＳＴＰコネクタの組み立て］
ＳＴＰコネクタ２０Ｂを組み立てる場合も、まずＳＴＰ接続端子２１Ｂのバレル部２８がＳＴＰケーブル１０Ｂの各電線１１の端部に圧着により接続される。次いで、各ＳＴＰ接続端子２１Ｂが下側誘電体３６の収容部２６に上方から位置決めして挿入される（図１４及び図１５を参照）。このとき、一方の収容部２６に収容されるＳＴＰ接続端子２１Ｂは、突部３４を下側にして挿入され、他方の収容部２６に収容されるＳＴＰ接続端子２１Ｂは、突部３４を上側にして挿入される。そして、上側誘電体３５が下側誘電体３６に上方から被せ付けられ、取付片３９と取付突起４２との係止によって、上側誘電体３５及び下側誘電体３６が合体状態に保持される（図１５及び図１６を参照）。ここで、ＳＴＰ誘電体２２Ｂ内における各ＳＴＰ接続端子２１Ｂの幅方向内端間のピッチ幅は、隔壁４３が厚い分、ＵＴＰ誘電体２２Ａ内における各ＵＴＰ接続端子２１Ａの幅方向内端間のピッチ幅よりも大きくされている（図１１及び図２６を参照）。
【００４４】
続いて、ＳＴＰ誘電体２２Ｂが下側外導体５７の下側シェル部６３に支持される（図１７及び図１８を参照）。上側誘導体の両側面に設置された位置決め突部５４が下側シェル部６３の下側位置決め孔６６に適合して嵌合されることにより、下側外導体５７がＳＴＰ誘電体２２Ｂに対して位置決めされる。このとき、下側バレル部６４がＳＴＰケーブル１０Ｂの外周側に露出するシールド導体１３に下方から対向して配置される。その状態で、下側バレル部６４がＳＴＰケーブル１０Ｂのシールド導体１３に圧着により接続される。
【００４５】
次いで、上側外導体５６がＳＴＰ誘電体２２Ｂを上方から覆うようにして下側外導体５７に被せられる（図１９及び図２０を参照）。このとき、保持突起６２と保持孔６５との係止によって、上側外導体５６及び下側外導体５７が一体に保持される。また、上側誘電体３５の上面に設置された位置決め突部５４が上側シェル部５８の上側位置決め孔６１に適合して嵌合されることにより、上側外導体５６がＳＴＰ誘電体２２Ｂに対して位置決めされる。そして、上側バレル部５９がＳＴＰケーブル１０Ｂのシールド導体１３に上方から対向して配置される。その状態で、上側バレル部５９がＳＴＰケーブル１０Ｂのシールド導体１３に圧着により接続される。これにより、シールド導体１３が外導体２４Ｂに接続されるとともに、ＳＴＰ接続端子２１Ｂの周囲がＳＴＰ誘電体２２Ｂを介して外導体２４Ｂに包囲される。
【００４６】
その後、ＳＴＰ誘電体２２Ｂを内包して合体状態にある外導体２４ＢがＳＴＰハウジング２３Ｂの挿入部４９に後方から挿入される（図２１及び図２２を参照）。外導体２４Ｂが挿入部４９に正規挿入されると、ランス５１が外導体２４Ｂのロック突起３７を弾性的に係止し、外導体２４ＢがＳＴＰハウジング２３Ｂに抜け止め状態に保持される（図２３を参照）。
【００４７】
［コネクタ嵌合］
ＵＴＰコネクタ２０Ａが相手側ＵＴＰコネクタ９０Ａに正規嵌合されると、ロックアーム４８がロック受部９３を弾性的に係止し、両コネクタが離脱規制状態に保持される。このとき、各雄端子９１のタブ部９２が各ＵＴＰ接続端子２１Ａの箱部２７に挿入接続される（図１０を参照）。
【００４８】
同様に、ＳＴＰコネクタ２０Ｂが相手側ＳＴＰコネクタ９０Ｂに正規嵌合されると、ロックアーム４８がロック受部９３を弾性的に係止し、両コネクタが離脱規制状態に保持され、各雄端子９１のタブ部９２が各ＳＴＰ接続端子２１Ｂの箱部２７に挿入接続される（図２５を参照）。また、外導体２４Ｂがフード部９４に設置されたアース板６８に接続される。
【００４９】
［作用効果］
本実施例１の場合、ＵＴＰ誘電体２２Ａの対をなす収容部２６のピッチ幅がＳＴＰ誘電体２２Ｂの対をなす収容部２６のピッチ幅よりも小さくされ、ＵＴＰ誘電体２２Ａの対をなす収容部２６に収容されたＵＴＰ接続端子２１Ａの箱部２７の対向面間距離がＳＴＰ誘電体２２Ｂの対をなす収容部２６に収容されたＳＴＰ接続端子２１Ｂの箱部２７の対向面間距離よりも短くされている。このため、ＵＴＰケーブル１０Ａ側のインピーダンスを小さく、ＳＴＰケーブル１０Ｂ側のインピーダンスを大きくすることができ、ＵＴＰケーブル１０Ａ側とＳＴＰケーブル１０Ｂ側との間でインピーダンスを適切に調整することができる。その結果、ＵＴＰコネクタ２０ＡとＳＴＰコネクタ２０Ｂとの間の仕様変更を容易に行うことが可能となる。
【００５０】
また、ＵＴＰ誘電体２２Ａの各収容部２６に、ＵＴＰ接続端子２１Ａが弾性接触片３２を幅方向内側にして腹合わせ状態で配置され、ＳＴＰ誘電体２２Ｂの各収容部２６に、ＳＴＰ接続端子２１Ｂが弾性接触片３２を外側にして背合わせ状態で配置されることにより、ＵＴＰ接続端子２１Ａの挿入領域５３が収容部２６の幅方向外側に偏心し、ＳＴＰ接続端子２１Ｂの挿入領域５３が収容部２６の幅方向内側に偏心して配置される。ＵＴＰ接続端子２１Ａの挿入領域５３が幅方向外側に偏心する偏心量は、ＳＴＰ誘電体２２Ｂの挿入領域５３が幅方向内側に偏心する偏心量に等しく、ＳＴＰ誘電体２２Ｂの対をなす収容部２６のピッチ幅からＵＴＰ誘電体２２Ａの対をなす収容部２６のピッチ幅を引いた値にほぼ等しい。
【００５１】
このため、ＵＴＰ接続端子２１ＡとＳＴＰ接続端子２１Ｂとの間で弾性接触片３２と受部３１との位置関係を変更するだけで、収容部２６間のピッチ幅の差が相殺され、雄端子９１のタブ部９２間のピッチ幅を、相手側ＵＴＰコネクタ９０Ａと相手側ＳＴＰコネクタ９０Ｂとの間で同一のピッチ幅に揃えることができ、相手側ＵＴＰコネクタ９０Ａと相手側ＳＴＰコネクタ９０Ｂとを同様の構造にすることができる。相手側ＵＴＰコネクタ９０Ａと相手側ＳＴＰコネクタ９０Ｂとは、具体的には、フード部９４が、ペグ９５が取り付けられる外側の筒状部分と、雄端子９１が取り付けられる内側の奥壁部分とからなり、このうち、外側の筒状部分が、相手側ＵＴＰコネクタ９０Ａと相手側ＳＴＰコネクタ９０Ｂとの間で共通の構造となることから、内側の奥壁部分を置き換えることで相手側ＵＴＰコネクタ９０Ａと相手側ＳＴＰコネクタ９０Ｂのそれぞれの仕様に対応することができる。その結果、全体として汎用性に優れたコネクタ構造を実現することができる。
【００５２】
また、各ＵＴＰ接続端子２１Ａ及び各ＳＴＰ接続端子２１Ｂのそれぞれの箱部２７が同一の形状とされ、ＵＴＰハウジング２３Ａ及びＳＴＰハウジング２３Ｂも互いに同様の形状とされ、さらにＵＴＰ誘電体２２Ａ及びＳＴＰ誘電体２２Ｂも近似していることから、全体として大きな構造変更を行うことなく、ＳＴＰケーブル１０ＢとＵＴＰケーブル１０Ａとを置き換えることができ、コストの低減を図ることができる。
【００５３】
＜他の実施例＞
他の実施例を簡単に説明する。
（１）実施例１では、ＵＴＰ誘電体及びＳＴＰ誘電体がいずれも上下に分割可能とされていたが、本発明によれば、ＵＴＰ誘電体及びＳＴＰ誘電体の少なくとも一方が分割不能に一体に設けられていてもよい。
（２）実施例１では、ＳＴＰコネクタの外導体が上下に分割可能とされていたが、本発明によれば、外導体が分割不能に一体に設けられていてもよい。
（３）箱部には、２つ以上の突部が設けられていてもよい。また、突部の突出方向は任意である。
（４）ＵＴＰ接続端子及びＳＴＰ接続端子は完全に同一構造である必要はなく、バレル部の部分など許容範囲で異なる形状部分を有していてもよい。
【符号の説明】
【００５４】
１０Ａ…ＵＴＰケーブル
１０Ｂ…ＳＴＰケーブル
１１…電線
２０Ａ…ＵＴＰコネクタ
２０Ｂ…ＳＴＰコネクタ
２１Ａ…ＵＴＰ接続端子
２１Ｂ…ＳＴＰ接続端子
２２Ａ…ＵＴＰ誘電体
２２Ｂ…ＳＴＰ誘電体
２４Ｂ…外導体
２６…収容部
２７…箱部
３１…受部
３２…弾性接触片
３４…突部
４３…隔壁
４４…凹部
４５…突片部
９０Ａ…相手側ＵＴＰコネクタ
９０Ｂ…相手側ＳＴＰコネクタ
９１…雄端子
９２…タブ部
【図１】
2018063797.tif 000003
【図２】
2018063797.tif 000004
【図３】
2018063797.tif 000005
【図４】
2018063797.tif 000006
【図５】
2018063797.tif 000007
【図６】
2018063797.tif 000008
【図７】
2018063797.tif 000009
【図８】
2018063797.tif 000010
【図９】
2018063797.tif 000011
【図１０】
2018063797.tif 000012
【図１１】
2018063797.tif 000013
【図１２】
2018063797.tif 000014
【図１３】
2018063797.tif 000015
【図１４】
2018063797.tif 000016
【図１５】
2018063797.tif 000017
【図１６】
2018063797.tif 000018
【図１７】
2018063797.tif 000019
【図１８】
2018063797.tif 000020
【図１９】
2018063797.tif 000021
【図２０】
2018063797.tif 000022
【図２１】
2018063797.tif 000023
【図２２】
2018063797.tif 000024
【図２３】
2018063797.tif 000025
【図２４】
2018063797.tif 000026
【図２５】
2018063797.tif 000027
【図２６】
2018063797.tif 000028
【図２７】
2018063797.tif 000029